(57)【特許請求の範囲】
【請求項１】
月車及び日車を有するカレンダ機構付き時計において、
日を表示する日車（２２０）と、
日車（２２０）の回転に基づいて回転して月を表示する月車（２４０）と、
２４時間に１回転するように構成された日回し車（２１０）と、
日回し車（２１０）の回転に基づいて、日車（２２０）を回転させることができるように構成された日送り爪（２１２）と、
日回し車（２１０）の回転および月車（２４０）の回転に基づいて、日車（２２０）を回転させることができるように構成された小の月月末送りレバー（２８２）とを備え、
日車（２２０）は、日文字（２２３）を設けた日表示面部（２２４）と、日送り爪（２１２）の日送り部（２１３）に接触する日車歯部（２２６）と、月中間車（２７２）を回転させるための月送り歯（２７４）と、小の月の月末に日車（２２０）を送るための小の月月末送り歯（２８８）を含むように構成され、
月車（２４０）は、月文字（２４３）を設けた月表示面部（２４４）と、小の月の月末に小の月月末送りレバー（２８２）を作動させるための月カム（２４８）とを含むように構成され、
日車（２２０）の小の月月末送り歯（２８８）は、日文字（２２３）による表示が「３０」であるときに小の月月末送りレバー（２８２）と接触できるように配置され、
小の月月末送りレバー（２８２）は、小の月の月末に、日回し車（２１０）の回転および月カム（２４８）の回転に基づいて日車（２２０）を１日分送ることができるように構成される、
ことを特徴とするカレンダ機構付き時計。
【請求項２】
さらに、日車（２２０）の回転に基づいて回転して月車（２４０）を回転させることができるように構成された月中間車（２７２）を備え、月中間車（２７２）は、月末に月車（２４０）を送ることができるように構成されることを特徴とする、請求項１に記載のカレンダ機構付き時計。
【請求項３】
小の月月末送りレバー（２８２）は、小の月の月末に日車（２２０）を送るための月末送り爪（２８６）を含み、小の月月末送り歯（２８８）は、日車（２２０）の表示が「３０日」であるときを検出するために設けられ、小の月月末送り歯（２８８）は、日車（２２０）の内側壁部（２２１）に設けられ、日車（２２０）の小の月月末送り歯（２８８）は、日文字（２２３）による表示が月末であるときに小の月月末送り爪（２８６）と接触できるように配置されることを特徴とする、請求項１に記載のカレンダ機構付き時計。
【請求項４】
小の月月末送りレバー（２８２）は、日回し車（２１０）の上側に配置され、日回し車（２１０）の回転中心に対して移動可能なように構成されることを特徴とする、請求項１に記載のカレンダ機構付き時計。
【請求項５】
小の月月末送り歯（２８８）は、日表示面部（２２４）よりも日車歯部（２２６）に近い側に配置される、請求項１に記載のカレンダ機構付き時計。
【請求項６】
日回し車（２１０）はレバー駆動ピン（２１１）を有し、小の月月末送りレバー（２８２）は、レバー駆動ピン（２１１）により回転され、かつ、月車（２４０）の回転に基づいて小の月月末送り歯（２８８）に対して移動可能なように構成されることを特徴とする、請求項１に記載のカレンダ機構付き時計。
【発明の詳細な説明】
【技術分野】
【０００１】
本発明は、月車及び日車を有するカレンダ機構付き時計に関する。特に、本発明は、時計の内側に配置された月車により月を表示し、月車の外側に配置された日車により日を表示して、２月以外の月末に日車の表示を修正する必要がないように構成した、月車及び日車を有するカレンダ機構付き時計に関する。
【背景技術】
【０００２】
一般に、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうちで、時計ケースのガラスのある方の側、すなわち、文字板のある方の側をムーブメントの「裏側」又は「ガラス側」又は「文字板側」と称する。地板の両側のうちで、時計ケースの裏蓋のある方の側、すなわち、文字板と反対の側をムーブメントの「表側」又は「裏蓋側」と称する。ムーブメントの「表側」に組み込まれる輪列を「表輪列」と称する。ムーブメントの「裏側」に組み込まれる輪列を「裏輪列」と称する。
【０００３】
一般に、「１２時側」とは、アナログ式時計において、文字板の１２時に対応する目盛が配置されている方の側を示す。「１２時方向」とは、アナログ式時計において、指針の回転中心から「１２時側」に向かう方向を示す。また、「３時側」とは、アナログ式時計において、文字板の３時に対応する目盛が配置されている方の側を示す。「３時方向」とは、アナログ式時計において、指針の回転中心から「３時側」に向かう方向を示す。また、「６時側」とは、アナログ式時計において、文字板の６時に対応する目盛が配置されている方の側を示す。「６時方向」とは、アナログ式時計において、指針の回転中心から「６時側」に向かう方向を示す。また、「９時側」とは、アナログ式時計において、文字板の９時に対応する目盛が配置されている方の側を示す。「９時方向」とは、アナログ式時計において、指針の回転中心から「９時側」に向かう方向を示す。さらに、「２時方向」、「２時側」のように、その他の文字板の目盛が配置されている方の側を示すことがある。
【０００４】
従来の第一タイプのカレンダ機構付き時計は、日板の１日目を検出するための１日目凹部と、日板の３０日目を検出するための３０日目凹部とが、日回し車の回転軸方向について、日板の内径上に同一の階層に形成されている。日送り爪と、月送り爪が日回し車に設けられている。１日検出レバーの１日検出部によって１日を検出し、月送り制御装置の月送り規制部によって月送り爪を制御し、１日以外は月送りしないようになっている。１日になると、月送り爪により月板を送る。大月の場合、小月検出レバーが日送り爪を規制して、日送り爪により日板を１日しか送らないようになっている。小月の場合、小月検出レバーは反時計方向に回転可能となり、日送り爪により日板の２歯を順次送ることができるようになっている。３０日検出レバーが３０日目凹部に係合して３０日を検出し、小月検出レバーが小月を同時に検出した時のみ、日送り爪により日板の歯を２歯送るようになっている（例えば、特許文献１参照）。
【０００５】
従来の第二タイプのカレンダ機構付き時計では、日送り爪が接触する歯部と、日板の３０日目を検出するための３０日目凹部と、日板の１日目を検出するための１日目凹部とが、日回し車の回転軸方向について、日板の内径上に異なる階層に段階的に形成されている（例えば、特許文献２参照）。
【０００６】
従来の第三タイプのカレンダ機構付き時計では、日表示部材に切り欠き部を設け、日表示部材が特定の位置にあるときにのみ、切り欠き部より月表示を行うように構成されている（例えば、特許文献３参照）。
【０００７】
従来の第四タイプのカレンダ機構付き時計は日付駆動歯車セットを備え、年歯車は、１年の月数の２倍である２４枚の歯を有し、中間歯車は、年歯車に噛み合う第１歯車と、第１歯車と同軸に配置固定された第２歯車とを有し、第２歯車は、各月の終わりに、日リングの第２ステ−ジの内側に配列された突起に噛み合うように構成されている（例えば、特許文献４参照）。
【０００８】
【特許文献１】特許第２６５１１５０号公報
【特許文献２】特開２００５−１９５３７０号公報
【特許文献３】特開昭５４−７３６６７号公報
【特許文献４】特開２００６−１６２６１１号公報
【発明の開示】
【発明が解決しようとする課題】
【０００９】
従来の第一タイプのカレンダ機構付き時計では、日板の１日目凹部と、日板の３０日目凹部とが、同一の階層に形成されているので、３０日検出部が、日板の両方の凹部をも検出して、カレンダ機構の作動が不安定となる課題があった。また、この構造では、３つの制御レバー、すなわち、１日検出レバー、小月検出レバーおよび３０日検出レバーを日板と月板との間に配置しているので、カレンダ機構の構造が複雑であり、かつ、時計の小型化が難しいという課題があった。
【００１０】
従来の第二タイプのカレンダ機構付き時計では、３０日目検出レバーに係合する日板の３０日目凹部と、１日目検出レバーに係合する日板の１日目凹部は、ムーブメントの厚さ方向において異なる階層に形成されているので、日板の厚さが増えて、ムーブメントの厚さが厚くなるという課題があった。
【００１１】
従来の第三タイプのカレンダ機構付き時計では、日表示部材の切り欠き部より月表示を行うので、月表示が小さくて見にくいという課題があった。また、この構造では、特定の日にしか月表示が見えないという課題があった。
【００１２】
従来の第四タイプのカレンダ機構付き時計では、日付駆動歯車セットの構造が複雑であり、かつ、時計の小型化が難しいという課題があった。また、この構造では、月表示が小さくて見にくいという課題があった。
【００１３】
本発明の目的は、日送り機構および月送り機構が薄く小型に構成され、ムーブメントの厚さが薄いカレンダ機構付き時計を提供することにある。
本発明の他の目的は、日送り機構および月送り機構の構造が簡単であって、作動が安定しているカレンダ機構付き時計を提供することにある。
本発明の他の目的は、月表示が大きく見やすい構造であって、２月以外の月末に日車の表示を修正する必要がないように構成したオートカレンダ機構付き時計を提供することにある。
【課題を解決するための手段】
【００１４】
本発明は、月車及び日車を有するカレンダ機構付き時計において、日を表示する日車と、日車の回転に基づいて回転して月を表示する月車と、２４時間に１回転するように構成された日回し車と、日回し車の回転に基づいて、日車を回転させることができるように構成された日送り爪と、日回し車の回転および月車の回転に基づいて、日車を回転させることができるように構成された小の月月末送りレバーとを備える。前記日車は、日文字を設けた日表示面部と、日送り爪の日送り部に接触する日車歯部と、月中間車を回転させるための月送り歯と、小の月の月末に日車を送るための小の月月末送り歯を含むように構成される。前記月車は、月文字を設けた月表示面部と、小の月の月末に小の月月末送りレバーを作動させるための月カムとを含むように構成される。前記日車の小の月月末送り歯は、日文字による表示が「３０」であるときに小の月月末送りレバーと接触できるように配置される。前記小の月月末送りレバーは、小の月の月末に、日回し車の回転および月カムの回転に基づいて日車を１日分送ることができるように構成される。この構成により、日送り機構および月送り機構の作動が安定しているカレンダ機構付き時計を実現することができる。また、この構成により、通常の日送り時に余計な負荷が伝達輪列にかからないように構成することができる。
【００１５】
本発明のカレンダ機構付き時計では、日車の回転に基づいて回転して月車を回転させることができるように構成された月中間車を備え、月中間車は、月末に月車を送ることができるように構成されるのが好ましい。この構成により、日送り機構および月送り機構の作動は安定しているカレンダ機構付き時計を実現することができる。
【００１６】
本発明のカレンダ機構付き時計では、小の月月末送りレバーは、小の月の月末に日車を送るための小の月月末送り爪を含み、小の月月末送り歯は、日車の表示が「３０日」であるときを検出するために設けられ、小の月月末送り歯は、日車の内側壁部に設けられ、日車の小の月月末送り歯は、日文字による表示が月末であるときに小の月月末送り爪と接触できるように配置されるように構成されるのが好ましい。この構成により、日送り機構および月送り機構の作動が安定しているカレンダ機構付き時計を実現することができる。
【００１７】
本発明のカレンダ機構付き時計では、小の月月末送りレバーは、日回し車の上側に配置され、日回し車の回転中心に対して移動可能なように構成されるのが好ましい。この構成により、ムーブメントの厚さが薄いカレンダ機構付き時計を実現することができる。
【００１８】
本発明のカレンダ機構付き時計では、小の月月末送り歯は、日表示面部よりも日車歯部に近い側に配置されるように構成されるのが好ましい。この構成により、ムーブメントの厚さが薄いカレンダ機構付き時計を実現することができる。
【００１９】
本発明のカレンダ機構付き時計では、日回し車はレバー駆動ピンを有し、小の月月末送りレバーは、レバー駆動ピンにより回転され、かつ、月車の回転に基づいて小の月月末送り歯に対して移動可能なように構成されるのが好ましい。この構成により、日送り機構および月送り機構の作動が安定しているカレンダ機構付き時計を実現することができる。
【００２０】
次に、本発明のカレンダ機構付き時計において、典型的な表示状態における作用を説明する。本発明のカレンダ機構付き時計では、「大の月」の「３０日」を表示している状態において、月の表示は「１０月」に対応する「ＯＣＴ」である。日回し車が回転すると、日送り爪の日送り部は、日車の１つの歯に接触し、小の月月末送りレバーの小の月月末送りカムは、月星車の月カムと接触しない。さらに日回し車が回転すると、日送り爪がさらに回転して、日車を１歯だけ反時計回り方向に送る。一方、日車の月送り歯は、月中間車の歯部に接触しない。したがって、日送り爪は日車を１歯だけ反時計回り方向に送り、日の表示は「３１日」に変わる。日車の月送り歯は、月中間車の歯部に接触しないので、「大の月」の「３０日」を表示している状態から「３１日」を表示する状態に変わるとき、月送りは行なわれないので、月の表示は変わらないで「ＯＣＴ」のままである。「１０月」以外の「大の月」における作動は、「１０月」の作動と同様である。
【００２１】
また、本発明のカレンダ機構付き時計では、「小の月」の「３０日」を表示している状態において、月の表示は「１１月」に対応する「ＮＯＶ」である状態において、日車の回転に基づいて「小の月」を検出し、同時に、「３０日」を検出する。小の月月末送りレバーの小の月月末送りつめは、日車の小の月月末送り歯を送り、日車の月送り歯は、月中間車の歯部に接触しないように回転する。さらに日回し車２１０が回転すると、日の表示は「３１日」に変わる。さらに日回し車が回転すると、日送り爪がさらに回転して、日車の歯を１歯だけ反時計回り方向に送ることができる。一方、日車の月送り歯は月中間車の歯部を回転させる。月中間車の回転により、月星車の月星車歯部を１歯だけ時計回り方向に送ることができる。したがって、日の表示は「１日」に変わり、月の表示は「ＤＥＣ」に変わる。「１１月」以外の「小の月」の月末における作動は、「１１月」の月末における作動と同様である。
【００２２】
以上説明したように、本発明のカレンダ機構付き時計では、小の月においては、日車に設けた小の月月末送り歯の働きにより、月末に日送りを行い、日車に設けた月送り歯の働きにより、月中間車を介して月送りを行うことができる。したがって、本発明により、通常の日送り時に余計な負荷が伝達輪列にかからないように構成したカレンダ機構付き時計を実現することができる。
【発明の効果】
【００２３】
本発明のカレンダ機構付き時計は、日送り機構および月送り機構が薄く小型である。また、本発明のカレンダ機構付き時計は、日送り機構および月送り機構の構造が簡単であり、作動が安定している。また、本発明のカレンダ機構付き時計は、通常の日送り時に余計な負荷が伝達輪列にかからないように構成することができる。さらに、本発明のカレンダ機構付き時計は、月表示が大きく見やすいものであって、かつ、２月以外の月末に日車の表示を修正する必要がない。
【発明を実施するための最良の形態】
【００２４】
以下に、本発明のカレンダ機構付き時計の実施の形態を図面に基づいて説明する。以下に説明する本発明の実施形態は、カレンダ機構付き時計をアナログ電子時計で構成したときの実施形態である。以下の説明は、本発明のカレンダ機構付き時計をアナログ電子時計に適用した構成について説明しているけれども、本発明は、アナログ電子時計だけでなく、機械式時計にも適用することができる。すなわち、本明細書における「カレンダ機構付き時計」という概念は、「アナログ電子時計」も、「機械式時計」も、他のすべての作動原理のアナログ時計も含む概念である。
【００２５】
（１）ムーブメントの全体構成：
図１から図４および図２０を参照すると、ムーブメント１００はアナログ電子時計で構成される。ムーブメント１００は、ムーブメント１００の基板を構成する地板１０２を含む。文字板１０４がムーブメント１００のガラス側に取付けられる。巻真１１０が、地板１０２に回転可能に組み込まれる。切換装置・規正装置は、巻真１１０と、規正レバー４６８と、電池プラス端子６６２の巻真位置決め部６６３とを含む。
【００２６】
（２）ムーブメントの表側の構成：
次に、ムーブメントの表側の構成について説明する。図２から図４および図２０を参照すると、ムーブメント１００において、時計の動力源を構成する電池４４０が、地板１０２の裏蓋側（表側）に配置される。電池４４０の中心は、ムーブメント１００において、「１０時方向」と「２時方向」との間に配置されるのが好ましい。電池４４０の中心は、ムーブメント１００において、「１１時方向」と「１時方向」との間に配置されるのが一層好ましい。時計の源振を構成する水晶ユニット６５０が地板１０２の裏蓋側に配置される。水晶振動子が、水晶ユニット６５０に収容されている。水晶振動子の振動に基づいて、ステップモータにモータ駆動信号を出力するモータ駆動部（ドライバ）が、集積回路（ＩＣ）６５４に内蔵される。
【００２７】
水晶ユニット６５０と集積回路６５４とは回路基板６１０に固定される。回路基板６１０と、水晶ユニット６５０と、集積回路６５４とが回路ブロック６１２を構成する。回路ブロック６１２は、地板１０２の裏蓋側に配置される。電池マイナス端子６６０は、電池４４０の陰極と、回路基板６１０のマイナスパターンを導通させるために設けられる。電池プラス端子６６２は、電池４４０の陽極と、回路基板６１０のプラスパターンを導通させるために設けられる。ステップモータを構成するコイルブロック６３０、ステータ６３２、ロータ６３４が、地板１０２の裏蓋側に配置される。
【００２８】
ロータ６３４の回転により、五番車４４１が回転するように構成される。五番車４４１の回転により、四番車４４２が回転するように構成される。四番車４４２の回転により、三番車４４４が回転するように構成される。三番車４４４の回転により、二番車４４６が回転するように構成される。二番車４４６の回転により、日の裏車４４８が回転するように構成される。日の裏車４４８の回転により、筒車１８０が回転するように構成される。筒車１８０は筒歯車１８１と、日送り歯車１８２とを含む。時針４６４が筒車１８０に取付けられる。筒車１８０は１２時間に１回転するように構成される。
【００２９】
四番車４４２は１分間に１回転するように構成されている。秒針４６０が四番車４４２に取付けられる。二番車４４６は１時間に１回転するように構成される。分針４６２が二番車４４６に取付けられる。スリップ機構が二番車４４６に設けられる。巻真１１０を２段目に引き出して針合わせをするときに、五番車４４１の歯車部を規正して秒針４６０の回転を停止させるために、規正レバー４６８が設けられる。中心パイプ１０３が地板１０２に固定される。中心パイプ１０３は地板１０２の裏蓋側から地板１０２の文字板側に延びる。表輪列を回転可能に支持する輪列受１５８が、地板１０２の裏蓋側に配置される。
【００３０】
（３）切換機構、針合わせ機構の構成：
以下に、切換機構、針合わせ機構の構成について説明する。図４および図２０を参照すると、ムーブメント１００において、巻真１１０が、地板１０２に回転可能に組み込まれる。巻真１１０は、先端側から順に形成された先端軸部１１１と、第１角部１１２と、第１軸部１１３と、規正作動軸部１１４と、第２軸部１１５と、第２角部１１６と、第３軸部１１７と、第１そろばん玉部１１８と、第２そろばん玉部１１９と、元軸部１２０とを含む。巻真１１０の先端軸部１１１は、地板１０２の巻真先端穴に対して回転可能なように組み込まれる。巻真１１０の元軸部１２０は、地板１０２の巻真元穴に対して回転可能なように組み込まれる。第１そろばん玉部１１８の外径は、第２そろばん玉部１１９の外径より大きいように構成するのがよい。
【００３１】
つづみ車４７２が巻真１１０の回転軸線と同一の回転軸線を有するように配置される。巻真１１０が０段目および１段目にあるとき、つづみ車４７２の連動角穴が巻真１１０の第１軸部１１３に対して回転可能であり、巻真１１０を回転させても、つづみ車４７２が回転しないように構成される。巻真１１０が２段目にあるとき、つづみ車４７２の連動角穴が巻真１１０の第１角部１１２と嵌め合い、巻真１１０の回転に基づいてつづみ車４７２が回転するように構成される。巻真１１０が０段目にあるとき、電池プラス端子６６２の巻真位置決め部６６３は、元軸部１２０と、第２そろばん玉部１１９との間に位置するように構成される。巻真１１０が１段目にあるとき、電池プラス端子６６２の巻真位置決め部６６３は、第１そろばん玉部１１８と、第２そろばん玉部１１９との間に位置するように構成される。巻真１１０が２段目にあるとき、電池プラス端子６６２の巻真位置決め部６６３は、第１そろばん玉部１１８と、第３軸部１１７との間に位置するように構成される。したがって、上記構成の切換装置では、電池プラス端子６６２の巻真位置決め部６６３により、巻真１１０を３つの軸線方向の位置（０段目、１段目、２段目）に位置決めすることができる。
【００３２】
巻真１１０が０段目にあるとき、および、巻真１１０が１段目にあるとき、規正レバー４６８は、巻真１１０の規正作動軸部１１４が規正レバー４６８と接触しないで、五番車４４１の歯車部を規正しないように構成される。巻真１１０が２段目にあるとき、巻真１１０の規正作動軸部１１４が規正レバー４６８と接触して、五番車４４１の歯車部を規正するように構成される。
【００３３】
図１および図４を参照すると、第一カレンダ修正車２９１が巻真１１０の回転軸線と同一の回転軸線を有するように配置される。巻真１１０が０段目にあるとき、第一カレンダ修正車２９１の連動丸穴が巻真１１０の第３軸部１１７に対して回転可能であり、巻真１１０を回転させても第一カレンダ修正車２９１が回転しないように構成される。巻真１１０が１段目にあるとき、第一カレンダ修正車２９１の連動丸穴が巻真１１０の第２角部１１６と嵌め合い、巻真１１０の回転に基づいて第一カレンダ修正車２９１が回転するように構成される。巻真１１０が２段目にあるとき、第一カレンダ修正車２９１の連動丸穴が巻真１１０の第２軸部１１５に対して回転可能であり、巻真１１０を回転させても第一カレンダ修正車２９１が回転しないように構成される。
【００３４】
日の裏車４４８の日の裏歯車は、小鉄車４４９と噛み合うように配置される。小鉄車４４９は、地板１０２と輪列受１５８との間に配置される。日の裏車４４８の日の裏かなは、地板１０２の文字板側に位置し、筒車１８０の筒歯車１８１と噛み合うように構成される。筒車１８０の穴部は、中心パイプ１０３の軸部分の外周部に回転可能に支持される。
【００３５】
（４）カレンダ機構の構成：
次に、カレンダ機構の構成について説明する。図１は、１０月３０日を表示している状態における、文字板側から見たムーブメント１００の裏側の構造を示す平面図である。図１から図５を参照すると、ムーブメント１００は、筒車１８０の回転により回転する日回し車２１０と、日付を表示する日車２２０と、日車２２０の回転方向の位置を規正するための日ジャンパ２６０と、月を表示する月車２４０と、月車２４０の回転方向の位置を規正するための月ジャンパ２６２と、日車２２０を地板１０２に対して、反時計回り方向に回転可能なように支持する日車押さえ２６４とを備える。日回し車２１０は２４時間に１回、反時計回り方向に回転するように構成される。日回し車２１０の回転中心は、ムーブメント１００において、「４時方向」と「８時方向」との間に配置されるのが好ましい。日回し車２１０の回転中心は、ムーブメント１００において、「５時方向」と「７時方向」との間に配置されるのが一層好ましい。日回し車２１０は、電池４４０と重ならないように配置されるのがよい。日車２２０の回転中心は、筒車１８０の回転中心と同じ位置であるのが好ましい。
【００３６】
日車２２０は、ムーブメントの内側に面する内側壁部２２１と、ムーブメントの外側に面する外側壁部２２２と、日文字２２３を設けた日表示面部２２４を含む日板部２２５と、日車歯部２２６とを含む。日車歯部２２６は、等しい角度間隔（３６０／３１度）で配置された３１個の内歯を含む。日文字２２３は、等しい角度間隔（３６０／３１度）で配置された３１個の「日付」を示す数字（例えば、「１」、「２」、「３」、・・・、「２９」、「３０」、「３１」）などで構成することができる。
【００３７】
日車２２０の内側壁部２２１は、日表示面部２２４の下側に配置される。日車２２０の内側壁部２２１は、日車２２０の下面側に配置され、日車歯部２２６は、日車２２０の下面側に配置される。日車２２０の表示が「３０日」であるときを検出するための小の月月末送り歯２８８が日車２２０の内側壁部２２１に設けられる。小の月月末送り歯２８８は、日車２２０の内側壁部２２１において、半径方向内方に向って突出した凸部として１箇所だけ形成される。
【００３８】
日車２２０の表示が「３１日」であるときを検出するための月送り歯２７４が日車２２０の内側壁部２２１に設けられる。月送り歯２７４は、日車２２０の内側壁部２２１において、半径方向内方に向って突出した凸部として１箇所だけ形成される。小の月月末送り歯２８８は、日表示面部２２４よりも日車歯部２２６に近い側に配置される。このように構成することにより、日送り及び月送りの作動が安定していて、かつ、ムーブメントの厚さが薄いカレンダ機構付き時計を実現することができる。
【００３９】
月車２４０は、月文字２４３を設けた月表示面部２４４を含む月板２４５と、月星車歯部２４６を含む月星車２４７と、月車２４０の表示が「大の月」（すなわち、「１月」又は「ＪＡＮ」など、「３月」又は「ＭＡＲ」など、「５月」又は「ＭＡＹ」など、「７月」又は「ＪＵＬ」など、「８月」又は「ＡＵＧ」など、「１０月」又は「ＯＣＴ」など、「１２月」又は「ＤＥＣ」など）であるときに対応する月カム２４８とを含む。月カム２４８は、１月に対応する１月カム２４８Ａ、３月に対応する３月カム２４８Ｂ、５月に対応する５月カム２４８Ｃ、７月に対応する７月カム２４８Ｄ、８月に対応する８月カム２４８Ｅ、１０月に対応する１０月カム２４８Ｆ、１２月に対応する１２月カム２４８Ｇの７箇所に、半径方向内方に向ってくぼんだ凹部として構成される。月カム２４８の基準位置は、１月カム２４８Ａを基準として反時計周り方向に、角度間隔が、順番に（２＊３６０／１２度）、（２＊３６０／１２度）、（２＊３６０／１２度）、（１＊３６０／１２度）、（２＊３６０／１２度）、（２＊３６０／１２度）、（１＊３６０／１２度）となるように配置されている（図５参照）。
【００４０】
月星車歯部２４６は、等しい角度間隔（３６０／１２度）で配置された１２個の外歯を含む。月文字２４３は、等しい角度間隔（３６０／１２度）で配置された１２個の「月」を示す文字（例えば、「ＪＡＮ」、「ＦＥＢ」、・・・、「ＮＯＶ」、「ＤＥＣ」など）で構成することができる。或いは、月文字２４３は、等しい角度間隔（３６０／１２度）で配置された１２個の「月」を示す数字、記号、文字、略字、又は、それらの適当な組み合わせ（例えば、「１月」、「２月」、・・・、「１１月」、「１２月」、或いは、「一月」、「二月」、・・・、「十一月」、「十二月」、或いは、「Ｊａｎ」、「Ｆｅｂ」、・・・、「Ｎｏｖ」、「Ｄｅｃ」などの表示）などで構成することもできる。
【００４１】
小の月検出カム２４９が、月車２４０の表示が「小の月」（すなわち、「２月」、「４月」、「６月」、「９月」、「１１月」）であるときを検出するために設けられる。小の月検出カム２４９は、半径方向内方に向ってくぼんだ凹部として５箇所に構成される。小の月検出カム２４９は、２月に対応する２月カム２４９Ａ、４月に対応する４月カム２４９Ｂ、６月に対応する６月カム２４９Ｃ、９月に対応する９月カム２４９Ｄ、１１月に対応する１１月カム２４９Ｅの５個の凹部を含むように構成される。小の月検出カム２４９の基準位置は、２月カム２４９Ａを基準として時計周り方向に、角度間隔が、順番に（２＊３６０／１２度）、（２＊３６０／１２度）、（３＊３６０／１２度）、（２＊３６０／１２度）、（３＊３６０／１２度）となるように配置されている。
【００４２】
日ジャンパ２６０の規正部が日車歯部２２６を規正するように構成される。月ジャンパ２６２の規正部が月星車歯部２４６を規正するように構成される。月車２４０の回転中心は、筒車１８０の回転中心と同じ位置であるのが好ましい。したがって、月車２４０の回転中心は、日車２２０の回転中心と同じ位置であるのがよい。月車２４０の月表示面部２４４は、日車２２０の日表示面部２２４の内側に配置される。
【００４３】
日車２２０の日車歯部２２６を送るための日送り爪２１２が、日回し車２１０の回転により一体になって回転するように設けられる。日送り爪２１２は、先端の配置された日送り部２１３と、日送り爪ばね部２１４とを含む。日送り爪ばね部２１４の元部は、日回し車２１０に固定される。日回し車２１０の回転により、日送り爪２１２が回転して、日送り爪２１２により日車２２０は、間欠的に２４時間について１度だけ、３６０／３１度ずつ、反時計回り方向に回転することができるように構成される。
【００４４】
日送り爪２１２は、弾性変形可能な材料（例えば、ポリアセタールなどのエンジニアリングプラスチック）で構成される。日送り爪２１２は、日回し車２１０と一体になるように形成することができる。日送り爪２１２は、日回し車２１０と別個に形成して、日回し車２１０の回転により一体になって回転するように構成することができる。
【００４５】
小の月月末送りレバー２８２が、月板２４５と日回し車２１０との間に作動可能なように配置される。小の月月末送りレバー２８２は、月車２４０の月カム２４８と接触可能なように配置された小の月月末送りカム２８４と、レバー駆動ピン２１１と接触可能なように配置された切り欠き部２８２Ｂと、日車２２０の小の月月末送り歯２８８と接触可能なように配置された小の月月末送りつめ２８６と、レバー長穴２８２Ｃとを含む。小の月月末送りレバー２８２は、日回し車２１０の回転および月車２４０の回転に基づいて位置決めされ、小の月の月末に日車２２０を回転させることができるように構成される。小の月月末送りレバー２８２は、日回し車２１０の上側に配置され、日回し車２１０の回転中心に対して移動可能なように構成される。日回し車２１０の回転中心は、地板１０２に設けられた日回し車ピン１０２Ｐで構成される。
【００４６】
日回し車２１０はレバー駆動ピン２１１を有する。レバー駆動ピン２１１は、小の月月末送りレバー２８２の切り欠き部２８２Ｂに配置される。小の月月末送りレバー２８２は、レバー駆動ピン２１１により回転される。小の月月末送りレバー２８２のレバー長穴２８２Ｃは、日回し車ピン１０２Ｐに対して配置される。小の月月末送りレバー２８２は、レバー長穴２８２Ｃが日回し車ピン１０２Ｐに案内されて、月車２４０に設けられた月カム２４８に沿い日回し車２１０の回転に基づいて、地板１０２の中心から半径方向外方に向かう方向に、小の月月末送り歯２８８に対して移動可能なように構成される。このように構成することにより、日送り機構および月送り機構の作動が安定しているカレンダ機構付き時計を実現することができる。また、この構成により、通常の日送り時に余計な負荷が伝達輪列にかからないように構成することができる。
【００４７】
月中間車２７２が、日車２２０の回転に基づいて回転して、月車２４０を回転させることができるように配置される。月中間車２７２は、月末に月車２４０を送ることができるように構成される。月中間車２７２は、地板１０２に対して回転可能なように設けられる。月中間車２７２は、月中間歯部２７２Ｂを含む。
【００４８】
日車２２０の表示が「３１日」から「１日」になるように日車２２０が回転されるときに、日車２２０の月送り歯２７４が月中間車２７２の月中間歯部２７２Ｂに接触し、月中間車２７２を回転させることができるように構成される。月中間車２７２の回転により、月中間歯部２７２Ｂは月歯車２４２を回転させ、月車２４０を回転させて、月車２４０の表示を変えることができるように構成される。
【００４９】
ムーブメント１００の裏側に配置される日回し車２１０は、ムーブメント１００の表側に配置される電池４４０と、断面的にみて重ならないように配置されるのがよい。また、ムーブメント１００の裏側に配置される月送り規正レバー２５０は、ムーブメント１００の表側に配置される電池４４０と、断面的にみて重ならないように配置されるのがよい。このように構成することにより、ムーブメントの厚さが薄いカレンダ機構付き時計を実現することができる。
【００５０】
（５）カレンダ修正機構の構成：
図１および図４を参照すると、ムーブメント１００において、カレンダ修正機構は、第一カレンダ修正車２９１と、第二カレンダ修正車２９２と、日修正車２９３と、月修正車２９４と、修正車ばね５９５とを含む。修正車ばね５９５は、日車押え２６４と一体に形成することができる。修正車ばね５９５は、日修正車２９３を地板１０２に向かって加圧するように構成される。日修正車２９３は、地板１０２に設けられた案内穴にそって揺動できるように構成される。日修正車２９３の回転中心は、ムーブメント１００において、「１時方向」と「２時方向」との間に配置されるのが好ましい。月修正車２９４の回転中心は、ムーブメント１００において、「１２時方向」と「１時方向」との間に配置されるのが好ましい。
【００５１】
巻真１１０が１段目にある状態において、第一カレンダ修正車２９１の連動穴が巻真１１０の第２角部１１６と嵌め合い、巻真１１０の回転に基づいて第一カレンダ修正車２９１が回転するように構成される。この状態で、巻真１１０を第１の方向に回転させると、第一カレンダ修正車２９１の回転に基づいて、第二カレンダ修正車２９２が回転するように構成される。
【００５２】
第二カレンダ修正車２９２の回転に基づいて、日修正車２９３が、日車２２０の日車歯部２２６と噛合う位置まで揺動して停止し、その修正位置で日修正車２９３は回転するように構成される。日修正車２９３が前記修正位置で回転すると、日車２２０を反時計回り方向に回転させることができるように構成される。巻真１１０が１段目にある状態において、前記第１の方向と反対方向である第２の方向に巻真１１０を回転させると、第一カレンダ修正車２９１の回転に基づいて、第二カレンダ修正車２９２が回転するように構成される。
【００５３】
第二カレンダ修正車２９２の回転に基づいて、日修正車２９３が、日車２２０の日車歯部２２６から離れる方向に移動し、月修正車２９４と噛合う位置まで揺動して停止し、その修正位置で日修正車２９３は回転するように構成される。月修正車２９４の歯部は、月星車歯部２４６と噛合うように構成される。日修正車２９３が前記修正位置で回転すると、月修正車２９４の回転を介して月車２４０を時計回り方向に回転させることができるように構成される。
【００５４】
（６）カレンダ機構付き時計の作動：
（６・１）時刻情報の表示：
次に、本発明のカレンダ機構付き時計の作動について説明する。図１９を参照すると、ムーブメント１００を時計ケース３１０の中に組み入れ、文字板１０４と、りゅうず３１０、時針４６４、分針４６２、秒針４６０を取り付けてコンプリート３００を構成する。文字板１０４に設けた窓３０４から、日表示面部２２４に設けた日を示す文字「３０」と、月表示面部２４４に設けた月を示す文字「ＯＣＴ」を読むことができる。すなわち、コンプリート３００は、「１０月３０日」を表示している。文字板１０４の「３時方向」に窓３０４を形成したカレンダ機構付き時計の実施形態を図１９に示すけれども、日文字と月文字の配置や向きを適当に選択することによって、文字板１０４の「３時方向」以外の位置に窓を形成したカレンダ機構付き時計を実現することもできる。
【００５５】
図１から図４、図１９および図２０を参照すると、電池４４０、水晶ユニット６５０、集積回路（ＩＣ）６５４によってステップモータを駆動させると、ロータ６３４が一定の速度で回転する。ロータ６３４の回転に基づいて、五番車４４１の回転を介して四番車４４２が回転する。四番車４４２に取付けられた秒針４６０により、時刻情報のうちの「秒」を表示する。三番車４４４が四番車４４２の回転に基づいて回転する。二番車４４６が三番車４４４の回転に基づいて回転する。二番車４４６に取付けられた分針４６２により、時刻情報のうちの「分」を表示する。日の裏車４４８が二番車４４６の回転に基づいて回転する。筒車１８０が日の裏車４４８の回転に基づいて回転する。筒車１８０に取付けられた時針４６４により、時刻情報のうちの「時」を表示する。
【００５６】
（６・２）カレンダ送りの作動：
（６・２・１）「大の月」において、月末以外における作動：
次に、本発明のカレンダ機構付き時計のカレンダ送りの作動について説明する。図１から図４および図２１を参照すると、「大の月」の月末以外において、小の月月末送りレバー２８２のレバー長穴２８２Ｃが日回し車ピン１０２Ｐに案内されて、小の月月末送りレバー２８２の小の月月末送りカム２８４は、月車２４０の月カム２４８と接触できるような位置に配置され、小の月月末送りレバー２８２は、地板１０２の半径方向外方の位置に配置されることができる（図１に示す位置）。小の月月末送りレバー２８２は、地板１０２の半径方向外方の位置と、地板１０２の半径方向外方の位置との間で自由に移動することができる。日車２２０の月送り歯２７４は、月中間車２７２の月中間歯部２７２Ｂに接触しないような位置に配置される。
【００５７】
この状態において、筒車１８０の回転により日回し車２１０が回転すると、日送り爪２１２およびレバー駆動ピン２１１も同時に回転する。日送り爪２１２が回転すると、日送り爪２１２の日送り部２１３は、日車２２０の日車歯部２２６を１歯だけ反時計回り方向に送ることができる。日送りの作動は、例えば、午後８時から午後１２時の間に行うように構成することができる。この状態において、日車２２０が回転しても、月中間車２７２は回転しない。日送りの作動後の日車２２０の回転方向の位置は、日ジャンパ２６０によって規正される。
【００５８】
また、この状態において、日回し車２１０およびレバー駆動ピン２１１が回転すると、小の月月末送りレバー２８２は、日回し車ピン１０２Ｐを回転中心として回転するが、小の月月末送りレバー２８２の小の月月末送りつめ２８６は、日車２２０の小の月月末送り歯２８８と接触しないような位置に配置される。したがって、この状態において、小の月月末送りレバー２８２が回転しても、日車２２０は回転しない。したがって、「大の月」の月末以外において、日車２２０の日車歯部２２６は１歯だけ送られ、日の表示は１日分だけ変わる。また、「大の月」の月末以外において、月送りは行なわれないので、月の表示は変わらない。
【００５９】
（６・２・２）「小の月」において、月末以外における作動：
図２から図４および図２１を参照すると、「小の月」の月末以外において、小の月月末送りレバー２８２のレバー長穴２８２Ｃが日回し車ピン１０２Ｐに案内されて、小の月月末送りレバー２８２の小の月月末送りカム２８４は、月車２４０の小の月検出カム２４９に対応する位置に配置される。
【００６０】
この状態において、日回し車２１０およびレバー駆動ピン２１１が回転すると、小の月月末送りレバー２８２は、日回し車ピン１０２Ｐを回転中心として回転するが、小の月月末送りレバー２８２の小の月月末送りつめは、日車２２０の小の月月末送り歯２８８に接触しないような位置に配置される。この状態において、小の月月末送りレバー２８２が回転しても、日車２２０は回転しない。したがって、「小の月」の月末以外において、日車２２０の日車歯部２２６は１歯だけ送られ、日の表示は１日分だけ変わる。日送りの作動後の日車２２０の回転方向の位置は、日ジャンパ２６０によって規正される。また、「小の月」の月末以外において、月送りは行なわれないので、月の表示は変わらない。すなわち、「小の月」の月末以外においてにおける作動は、上述したような「大の月」の月末以外における作動と同様である。
【００６１】
（６・２・３）「大の月」において、「３０日」から「３１日」に変わる作動：
図５から図９および図２１を参照すると、「大の月」の「３０日」を表示している状態において、月の表示は「１０月」に対応する「ＯＣＴ」である。小の月月末送りレバー２８２は、地板１０２の半径方向外方の位置に配置されることができる（図５に示す位置）。小の月月末送りレバー２８２は、地板１０２の半径方向内方の位置と、地板１０２の半径方向外方の位置との間で自由に移動することができる。日車２２０の月送り歯２７４は、月中間車２７２の月中間歯部２７２Ｂに接触しないような位置に配置される。
【００６２】
図６を参照すると、筒車１８０の回転により日回し車２１０が回転すると、日送り爪２１２およびレバー駆動ピン２１１も同時に回転する。日送り爪２１２が回転すると、日送り爪２１２の日送り部２１３は、日車２２０の日車歯部２２６に近づくように反時計回り方向に回転することができる。この状態において、日車２２０が回転しても、月中間車２７２は回転しない。
【００６３】
また、この状態において、日回し車２１０およびレバー駆動ピン２１１が回転すると、小の月月末送りレバー２８２は、日回し車ピン１０２Ｐを回転中心として回転し、小の月月末送りレバー２８２の小の月月末送りつめ２８６は、日車２２０の小の月月末送り歯２８８に接触する。日車２２０の小の月月末送り歯２８８によって、小の月月末送りレバー２８２は、地板１０２の半径方向内方の位置に向かって移動される。したがって、この状態において、小の月月末送りレバー２８２が回転しても、日車２２０は回転しない。
【００６４】
図７を参照すると、さらに日回し車２１０が回転すると、日送り爪２１２がさらに回転して、日送り爪２１２の日送り部２１３は、日車２２０の日車歯部２２６の１つの歯に接触する。一方、日車２２０の月送り歯２７４は、月中間車２７２の月中間歯部２７２Ｂに接触しないような位置に配置される。
【００６５】
図８を参照すると、さらに日回し車２１０が回転すると、日送り爪２１２がさらに回転して、日車２２０の日車歯部２２６を１歯だけ反時計回り方向に送ることができる。日送りの作動後の日車２２０の回転方向の位置は、日ジャンパ２６０によって規正される。一方、日車２２０の月送り歯２７４は、月中間車２７２の月中間歯部２７２Ｂに接触しないような位置に配置される。
【００６６】
図９を参照すると、日送り爪２１２は日車２２０の日車歯部２２６を１歯だけ反時計回り方向に送り終わり、日の表示は「３１日」に変わる。日車２２０の月送り歯２７４は、月中間車２７２の月中間歯部２７２Ｂに接触しないような位置に配置される。したがって、「大の月」の「３０日」を表示している状態から「３１日」を表示する状態に変わるとき、月送りは行なわれないので、月の表示は変わらないで「ＯＣＴ」のままである。「１０月」以外の「大の月」における「３０日」から「３１日」に変わる作動は、「１０月」の「３０日」から「３１日」に変わる作動と同様である。
【００６７】
（６・２・４）「大の月」において、「３１日」から次の月の「１日」に変わる作動：
図２から図４、図１０および図２１を参照すると、「大の月」の「３１日」を表示している状態において、月の表示は「１０月」に対応する「ＯＣＴ」である。この状態では、小の月月末送りレバー２８２は、地板１０２の半径方向外方の位置に配置されることができる（図１０に示す位置）。小の月月末送りレバー２８２は、地板１０２の半径方向外方の位置と、地板１０２の半径方向外方の位置との間で自由に移動することができる。日車２２０の月送り歯２７４は、月中間車２７２の月中間歯部２７２Ｂに接触することができるような位置に配置される。
【００６８】
図１１および図２１を参照すると、筒車１８０の回転により日回し車２１０が回転すると、日送り爪２１２およびレバー駆動ピン２１１も同時に回転する。日送り爪２１２が回転すると、日送り爪２１２の日送り部２１３は、日車２２０の日車歯部２２６に近づくように反時計回り方向に回転することができる。この状態において、日車２２０が反時計回り方向に回転すると、日車２２０の月送り歯２７４が月中間車２７２の月中間歯部２７２Ｂに接触する。すなわち、日車２２０の月送り歯２７４が「３１日検出」の位置に配置されると、月中間車２７２は反時計回り方向に回転することができる。月中間車２７２が反時計回り方向に回転すると、月歯車２４２は時計回り方向に回転する。
【００６９】
また、この状態において、日回し車２１０およびレバー駆動ピン２１１が回転すると、小の月月末送りレバー２８２は、日回し車ピン１０２Ｐを回転中心として回転するが、小の月月末送りレバー２８２の小の月月末送りつめ２８６は、日車２２０の小の月月末送り歯２８８に接触しない。したがって、この状態において、小の月月末送りレバー２８２が回転しても、日車２２０は回転しない。
【００７０】
図１２を参照すると、さらに日回し車２１０が回転すると、日送り爪２１２がさらに回転して、日車２２０の日車歯部２２６を１歯だけ反時計回り方向に送ることができる。日送りの作動後の日車２２０の回転方向の位置は、日ジャンパ２６０によって規正される。一方、日車２２０の月送り歯２７４は、月中間車２７２を回転させ、月中間車２７２は、月星車２４７の月星車歯部２４６を１歯だけ時計回り方向に送ることができる。月送りの作動後の月車２３０の回転方向の位置は、月ジャンパ２６２によって規正される。
【００７１】
日送り爪２１２は日車２２０の日車歯部２２６を１歯だけ反時計回り方向に送り終わり、日の表示は「１日」に変わる。日車２２０の月送り歯２７４は、月中間車２７２の回転を介して月星車２４７の月星車歯部２４６を１歯だけ時計回り方向に送り終わり、月の表示は「ＮＯＶ」に変わる。日送りおよび月送りの作動は、例えば、午後８時から午後１２時の間に行うように構成することができる。「１０月」以外の「大の月」の月末における作動は、「１０月」の月末における作動と同様である。
【００７２】
（６・２・５）「小の月」において、「３０日」から次の月の「１日」に変わる作動：
図１から図４、図１３および図２１を参照すると、「小の月」の「３０日」を表示している状態において、月の表示は「１１月」に対応する「ＮＯＶ」であり、日の表示は「３０日」に対応する「３０」である。この状態で、月車２４０の１１月カム２４９Ｅは小の月月末送りレバー２８２の小の月月末送りカム２８４に接触するような位置に配置される。すなわち、月車２４０の１１月カム２４９Ｅは、「小の月検出」の位置に配置される。この状態で、小の月月末送りレバー２８２は、地板１０２の半径方向外方の位置に配置される（図１３に示す位置）。日車２２０の月送り歯２７４は、月中間車２７２の月中間歯部２７２Ｂに接触しないような位置に配置される。
【００７３】
図１３を参照すると、筒車１８０の回転により日回し車２１０が回転すると、日送り爪２１２およびレバー駆動ピン２１１も同時に回転する。日送り爪２１２が回転すると、日送り爪２１２の日送り部２１３は、日車２２０の日車歯部２２６に近づくように反時計回り方向に回転することができる。この状態において、日車２２０が回転しても、月中間車２７２は回転しない。
【００７４】
また、この状態において、日回し車２１０およびレバー駆動ピン２１１が回転すると、小の月月末送りレバー２８２は、日回し車ピン１０２Ｐを回転中心として回転し、小の月月末送りレバー２８２の小の月月末送りつめ２８６は、日車２２０の小の月月末送り歯２８８に接触する。すなわち、「小の月」の「３０日」を表示している状態において、日車２２０の小の月月末送り歯２８８が「３０日検出」の位置に配置されると、小の月月末送りレバー２８２により、日車２２０を回転させることができる。さらに、小の月月末送りレバー２８２が回転すると、小の月月末送りつめ２８６は日車２２０の小の月月末送り歯２８８に接触して、日車２２０を回転させることができる。
【００７５】
図１４を参照すると、さらに日回し車２１０が回転すると、日送り爪２１２がさらに回転して、日送り爪２１２の日送り部２１３は、日車２２０の日車歯部２２６の１つの歯に接近する。一方、日車２２０の月送り歯２７４は、月中間車２７２の月中間歯部２７２Ｂに接触しないような位置に配置される。この状態において、日回し車２１０およびレバー駆動ピン２１１が回転すると、小の月月末送りレバー２８２は、日回し車ピン１０２Ｐを回転中心として回転し、小の月月末送りレバー２８２の小の月月末送りつめ２８６は、日車２２０の小の月月末送り歯２８８に接触し、日車２２０を反時計回り方向に回転させる。
【００７６】
図１５を参照すると、さらに日回し車２１０が回転すると、小の月月末送りレバー２８２がさらに回転して、日車２２０の日車歯部２２６を１歯だけ反時計回り方向に送ることができる。日送りの作動後の日車２２０の回転方向の位置は、日ジャンパ２６０によって規正される。その結果、日の表示は「３０日」に対応する「３０」から、「３１日」に対応する「３１」に移動される。一方、日車２２０の月送り歯２７４は、月中間車２７２の月中間歯部２７２Ｂに接近するような位置に配置される。
【００７７】
図１６を参照すると、さらに日回し車２１０が回転すると、日送り爪２１２は日車２２０の日車歯部２２６に接触するような位置に配置される。また、日車２２０の月送り歯２７４は、月中間車２７２の月中間歯部２７２Ｂに接触するような位置に配置される。また、小の月月末送りレバー２８２の小の月月末送りつめ２８６は、日車２２０の小の月月末送り歯２８８から離れるような位置に配置される。
【００７８】
図１７および図２１を参照すると、さらに日回し車２１０が回転すると、日送り爪２１２がさらに回転して、日車２２０の日車歯部２２６を反時計回り方向に回転させることができる。一方、日車２２０の月送り歯２７４は、月中間車２７２を反時計回り方向に回転させ、月中間車２７２は、月星車２４７の月星車歯部２４６を時計回り方向に回転させることができる。
【００７９】
図１８および図２１を参照すると、さらに日回し車２１０が回転すると、日送り爪２１２がさらに回転して、日車２２０の日車歯部２２６を１歯だけ反時計回り方向に送ることができる。日送りの作動後の日車２２０の回転方向の位置は、日ジャンパ２６０によって規正される。一方、日車２２０の月送り歯２７４は、月中間車２７２を回転させ、月中間車２７２は、月星車２４７の月星車歯部２４６を１歯だけ時計回り方向に送ることができる。月送りの作動後の月車２３０の回転方向の位置は、月ジャンパ２６２によって規正される。その結果、日の表示は「３１日」に対応する「３１」から、「１日」に対応する「１」に移動され、月の表示は「１１月」に対応する「ＮＯＶ」から、「１２月」に対応する「ＤＥＣ」に移動される。
【００８０】
「１１月」以外の「小の月」の月末における作動は、「１１月」の月末における作動と同様である。なお、「２月」の月末における作動は、「１１月」の月末における作動と同様であるので、「２月」の月末には（２月２８日には、或いは、閏年の２月２９日には、）、前述したカレンダ修正機構を用いて、日の表示が「１日」に対応する「１」になるように日修正を行う必要がある。
【００８１】
（７）機械式時計の構成：
本発明のカレンダ機構付き時計をアナログ電子時計に適用した構成について上述したけれども、本発明は、機械式時計にも適用することができる。本発明を機械式時計で構成する場合において、切換機構、カレンダ送り機構、カレンダ修正機構の構造および作用は、上述した本発明の実施形態の構造および作用と同様である。構造の詳細は図示しないけれども、機械式時計では、香箱車の香箱歯車の回転により、二番車、三番車の回転を介して、四番車が１分間に１回転する。四番車の回転速度は、がんぎ車により制御される。がんぎ車の回転速度は、アンクルにより制御される。アンクルの揺動運動は、てんぷにより制御される。三番車の回転により、二番車が１時間に１回転する。二番車の回転により、日の裏車の回転を介して筒車は１２時間に１回転するように構成される。筒車が回転することにより日回し車が回転する。
【００８２】
すなわち、機械式時計のムーブメントの裏側において、筒車の回転により日回し車を回転するように構成して、日送り機構および月送り機構を作動させることができる。機械式時計の構成では、日回し車および小の月月末送りレバーは、香箱車と重ならないように配置するのが好ましい。この構成により、ムーブメントの厚さが薄いカレンダ機構付き機械式時計を製造することができる。
【産業上の利用可能性】
【００８３】
本発明により、日送り機構および月送り機構を薄く構成して、ムーブメントの厚さが薄いカレンダ機構付き時計を製造することができる。また、本発明により、日送り機構および月送り機構の作動が安定しているカレンダ機構付き時計を製造することができる。さらに、本発明により、通常の日送り時に余計な負荷が伝達輪列にかからないように構成したカレンダ機構付き時計を製造することができる。
【図面の簡単な説明】
【００８４】
【図１】本発明のカレンダ機構付き時計の実施形態において、ムーブメントを文字板側から見たときの構造を示す概略平面図である。
【図２】本発明のカレンダ機構付き時計の実施形態において、筒車、月送り機構、月中間車などを示す部分断面図である。
【図３】本発明のカレンダ機構付き時計の実施形態において、筒車、日送り機構、小の月月末送りレバーなどを示す部分断面図である。
【図４】本発明のカレンダ機構付き時計の実施形態において、巻真から筒車の部分を示す部分断面図である。
【図５】本発明のカレンダ機構付き時計の実施形態において、１０月３０日から１０月３１日に変わる状態における、日送り機構、月送り機構の構造を示す部分平面図（その１）である。
【図６】本発明のカレンダ機構付き時計の実施形態において、１０月３０日から１０月３１日に変わる状態における、日送り機構、月送り機構の構造を示す部分平面図（その２）である。
【図７】本発明のカレンダ機構付き時計の実施形態において、１０月３０日から１０月３１日に変わる状態における、日送り機構、月送り機構の構造を示す部分平面図（その３）である。
【図８】本発明のカレンダ機構付き時計の実施形態において、１０月３０日から１０月３１日に変わる状態における、日送り機構、月送り機構の構造を示す部分平面図（その４）である。
【図９】本発明のカレンダ機構付き時計の実施形態において、１０月３０日から１０月３１日に変わる状態における、日送り機構、月送り機構の構造を示す部分平面図（その５）である。
【図１０】本発明のカレンダ機構付き時計の実施形態において、１０月３１日から１１月１日に変わる状態における、日送り機構、月送り機構の構造を示す部分平面図（その１）である。
【図１１】本発明のカレンダ機構付き時計の実施形態において、１０月３１日から１１月１日に変わる状態における、日送り機構、月送り機構の構造を示す部分平面図（その２）である。
【図１２】本発明のカレンダ機構付き時計の実施形態において、１０月３１日から１１月１日に変わる状態における、日送り機構、月送り機構の構造を示す部分平面図（その３）である。
【図１３】本発明のカレンダ機構付き時計の実施形態において、１１月３０日から１２月１日に変わる状態における、日送り機構、月送り機構の構造を示す部分平面図（その１）である。
【図１４】本発明のカレンダ機構付き時計の実施形態において、１１月３０日から１２月１日に変わる状態における、日送り機構、月送り機構の構造を示す部分平面図（その２）である。
【図１５】本発明のカレンダ機構付き時計の実施形態において、１１月３０日から１２月１日に変わる状態における、日送り機構、月送り機構の構造を示す部分平面図（その３）である。
【図１６】本発明のカレンダ機構付き時計の実施形態において、１１月３０日から１２月１日に変わる状態における、日送り機構、月送り機構の構造を示す部分平面図（その４）である。
【図１７】本発明のカレンダ機構付き時計の実施形態において、１１月３０日から１２月１日に変わる状態における、日送り機構、月送り機構の構造を示す部分平面図（その５）である。
【図１８】本発明のカレンダ機構付き時計の実施形態において、１１月３０日から１２月１日に変わる状態における、日送り機構、月送り機構の構造を示す部分平面図（その６）である。
【図１９】本発明のカレンダ機構付き時計の実施形態において、文字板の３時方向に日窓を配置した構成で、１０月３０日を表示している状態におけるコンプリートを示す平面図である。
【図２０】本発明のカレンダ機構付き時計の実施形態において、ムーブメントを裏蓋側から見たときの構造を示す概略平面図である。
【図２１】本発明のカレンダ機構付き時計の実施形態において、カレンダ機構の構成を示す概略ブロック図である。
【符号の説明】
【００８５】
１００  ムーブメント
１０２  地板
１０４  文字板
１１０  巻真
１８０  筒車
２１０  日回し車
２１１  レバー駆動ピン
２１２  日送り爪
２２０  日車
２２６  日車歯部
２４０  月車
２４８  月カム
２７２  月中間車
２７４  月送り歯
２８２  小の月月末送りレバー
２８３  小の月月末送りカム
２８６  小の月月末送りつめ
２８８  小の月月末送り歯
４４０  電池
【図１】
0005135514.tif 000002
【図２】
0005135514.tif 000003
【図３】
0005135514.tif 000004
【図４】
0005135514.tif 000005
【図５】
0005135514.tif 000006
【図６】
0005135514.tif 000007
【図７】
0005135514.tif 000008
【図８】
0005135514.tif 000009
【図９】
0005135514.tif 000010
【図１０】
0005135514.tif 000011
【図１１】
0005135514.tif 000012
【図１２】
0005135514.tif 000013
【図１３】
0005135514.tif 000014
【図１４】
0005135514.tif 000015
【図１５】
0005135514.tif 000016
【図１６】
0005135514.tif 000017
【図１７】
0005135514.tif 000018
【図１８】
0005135514.tif 000019
【図１９】
0005135514.tif 000020
【図２０】
0005135514.tif 000021
【図２１】
0005135514.tif 000022